(57)【要約】      （修正有）【課題】着用雨具、着用防寒具、衣類の襟を堅牢な物とすることで、片手で襟を持ち、その襟を首に掛け固定し、着脱を簡便にする。更に、着脱を簡便にした着用雨具、着用防寒具を携帯出来るようにする。【解決手段】着用雨具、着用防寒具、衣類の襟芯として、円形形状記憶防止金具を取り付けた円形形状記憶合金板を使用する。【選択図】図１
0003131298.tif 000002
【実用新案登録請求の範囲】
【請求項１】
金具１を取り付けた円形形状記憶合金板２を襟芯とした着用雨具。
【請求項２】
金具１をプラスチック製成型具とした請求項１の襟芯とした着用雨具。
【請求項３】
金具１をビニール製成型具とした請求項１の襟芯とした着用雨具。
【請求項４】
金具１をゴム製成型具とした請求項１の襟芯とした着用雨具。
【請求項５】
請求項１、請求項２、請求項３、請求項４の襟芯を取り付けた着用防寒具。
【請求項４】
請求項１、請求項２、請求項３、請求項４の襟芯を取り付けた衣類。
【考案の詳細な説明】
【技術分野】
【０００１】  本案は、円形形状記憶防止金具付き円形形状記憶合金板を襟芯とした着用雨具、着用防寒具、衣類に関するものである。
【背景技術】
【０００２】  従来の着用雨具、着用防寒具、衣類は、素材が柔らかい為、身体障害者、高齢者、特に脳卒中等半身、片手片足不自由者にとっては一人での着脱は困難である。又、傘と杖を片手に持つ歩行することは困難である。その為外出は天候に左右され行動範囲が狭くなっている。
［考案の関係］
［考案が解決しょうとする課題］【０００３】  着用雨具、着用防寒具、衣類の襟を堅牢な物とすることで、片手で襟を持ち、その襟を首に掛け固定し、着脱を簡便にすることである。
着脱を簡便にした着用雨具、着用防寒具を携帯出来るようにすることである。
【課題を解決するための手段】
【０００４】  本考案は、着用雨具、着用防寒具、衣類の襟芯として、円形形状記憶防止金具を取り付けた円形形状記憶合金板を使用する。
【考案の効果】
【０００５】  上述の様にすることで、着用雨具、着用防寒具、衣類の襟は堅牢な物と成り、又、円形形状記憶合金板の特性を利用する事で、襟を片手で首へ装着固定が出来る。
着用方法は、本案襟芯を延伸形状とし、その襟を手で持ち首に掛け指で芯を折り曲げる。芯は首に沿って折り曲がり馬蹄形状となり首に固定される。固定された着用雨具、着用防寒具、衣類の袖に腕を通す。その後フードを被る。脱ぐ方法は、着用方法と逆の手順で行う。
本案着用雨具、着用防寒具、衣類を腰部に保持した収納袋に収納し携帯する。それにより急な風雨、風雪に対応出来るものである。障害者、高齢者ばかりでなく、子供、健常者等の登山、ウォーキング、ハイキング等野外活動の必需品ともなる。
【考案を実施するための最良の形態】
【０００６】  二個の円形形状記憶防止金具を円形形状記憶合金板の両端部に取り付け、円形形状記憶を馬蹄形状とする。その円形形状記憶合金板を着用雨具、着用防寒具、衣類の襟に襟芯として縫製、接着、又は固定用具にて取り付ける。
円形形状記憶防止金具をプラスック、ビニール、ゴム等他の成型具とすることが出来る。
着用雨具、着用防寒具を前開き、フード付きのポンチョ式、マント式等とする。前合わせにマジックテープを使用する。
【実施例】
【０００７】  以下添付図面に従って実施例を説明する。円形形状記憶合金板２を延伸形状とし、その形状に併せ両端部に金属板１を取り付ける。その円形形状記憶合金板２を円形形状記憶状にすると馬蹄形状となる。
本案を着用雨具３の襟に襟芯として袋綴じ縫いをして取り付ける。着用雨具３の前合わせにマジックテープ４を取り付ける。
携帯時は、着用雨具３を脱いだまま襟を馬蹄形状とし、その襟を中心にして丸め、たたみ腰部に保持した収納袋に入れて携帯する。着用時は、収納袋から取り出し、丸め、たたんである物を解して広げ、襟芯を延伸形状とし首に掛け、指で折り曲げ馬蹄形状として首に固定する。後は、袖に腕を通し、前合わせをし、フードを被る。脱ぐ時は、着用時の逆の手順とする。一連の動作は片手でも出来るものである。
【図面の簡単な説明】
【０００８】
【図１】円形形状記憶防止金具付き円形形状記憶合金板襟芯の正面斜視図
【図２】円形形状記憶防止金具付き円形形状記憶合金板襟芯の裏面斜視図
【図３】円形形状記憶防止金具取り付け部Ａ−Ａ”断面拡大図
【図４】円形形状記憶防止金具付き円形形状記憶合金板襟芯の馬蹄形状斜視図
【図５】円形形状記憶防止金具付き円形形状記憶合金板襟芯取り付け着用雨具の斜視図
【符号の説明】
【０００９】  １        円形形状記憶防止金具
２        円形形状記憶合金板
３        着用雨具
４        マジックテープ
Ａ−Ａ”  円形形状記憶防止金具取り付け部断面表示
【図１】
0003131298.tif 000003
【図２】
0003131298.tif 000004
【図３】
0003131298.tif 000005
【図４】
0003131298.tif 000006
【図５】
0003131298.tif 000007
【手続補正書】
【提出日】平成18年4月4日(2006.4.4)
【手続補正１】
【補正対象書類名】実用新案登録請求の範囲
【補正対象項目名】全文
【補正方法】変更
【補正の内容】
【実用新案登録請求の範囲】
【請求項１】
金具１を取り付けた円形形状記憶合金板２を襟芯とした着用雨具。
【請求項２】
金具１をプラスチック製成型具とした請求項１の襟芯とした着用雨具。
【請求項３】
金具１をビニール製成型具とした請求項１の襟芯とした着用雨具。
【請求項４】
金具１をゴム製成型具とした請求項１の襟芯とした着用雨具。
【請求項５】
請求項１、請求項２、請求項３、請求項４の襟芯を取り付けた着用防寒具。
【請求項６】
請求項１、請求項２、請求項３、請求項４の襟芯を取り付けた衣類。
【手続補正２】
【補正対象書類名】明細書
【補正対象項目名】０００６
【補正方法】変更
【補正の内容】
【０００６】二個の円形形状記憶防止金具を円形形状記憶合金板の両端部に取り付け、円形形状記憶を馬蹄形状とする。その円形形状記憶合金板を着用雨具、着用防寒具、衣類の襟に襟芯として縫製、接着、又は固定用具にて取り付ける。
円形形状記憶防止金具をプラスチック、ビニール、ゴム等他の成型具とすることが出来る。
着用雨具、着用防寒具を前開き、フード付きのポンチョ式、マント式等とする。前合わせにマジックテープ（登録商標）を使用する。
【手続補正３】
【補正対象書類名】明細書
【補正対象項目名】０００７
【補正方法】変更
【補正の内容】
【０００７】以下添付図面に従って実施例を説明する。円形形状記憶合金板２を延伸形状とし、その形状に併せ両端部に金属板１を取り付ける。その円形形状記憶合金板２を円形形状記憶状にすると馬蹄形状となる。
本案を着用雨具３の襟に襟芯として袋綴じ縫いをして取り付ける。着用雨具３の前合わせにマジックテープ（登録商標）４を取り付ける。
携帯時は、着用雨具３を脱いだまま襟を馬蹄形状とし、その襟を中心にして丸め、たたみ腰部に保持した収納袋に入れて携帯する。着用時は、収納袋から取り出し、丸め、たたんである物を解して広げ、襟芯を延伸形状とし首に掛け、指で折り曲げ馬蹄形状として首に固定する。後は、袖に腕を通し、前合わせをし、フードを被る。脱ぐ時は、着用時の逆の手順とする。一連の動作は片手でも出来るものである。
【手続補正４】
【補正対象書類名】明細書
【補正対象項目名】０００９
【補正方法】変更
【補正の内容】
【０００９】１      円形形状記憶防止金具
２      円形形状記憶合金板
３      着用雨具
４      マジックテープ（登録商標）
Ａ−Ａ”円形形状記憶防止金具取り付け部断面表示
【手続補正書】
【提出日】平成18年7月31日(2006.7.31)
【手続補正１】
【補正対象書類名】実用新案登録請求の範囲
【補正対象項目名】全文
【補正方法】変更
【補正の内容】
【実用新案登録請求の範囲】
【請求項１】
金具１を取り付けた円形形状記憶合金板２を襟芯とした着用雨具。
【請求項２】
金具１を取り付けた円形形状記憶合金板２を襟芯とした着用防寒具。
【請求項３】
金具１を取り付けた円形形状記憶合金板２を襟芯とした衣類。
【請求項４】
金具１をプラスチック製成型具とし、取り付けた円形形状記憶合金板２を襟芯とした請求項１、請求項２、請求項３の着用雨具、着用防寒具、衣類。
【請求項５】
金具１をビニール製成型具とし、取り付けた円形形状記憶合金板２を襟芯とした請求項１、請求項２、請求項３、の着用雨具、着用防寒具、衣類。
【請求項６】
金具１をゴム製成型具とし、取り付けた円形形状記憶合金板２を襟芯とした請求項１、請求項２、請求項３の着用雨具、着用防寒具、衣類。
【手続補正書】
【提出日】平成18年10月27日(2006.10.27)
【手続補正１】
【補正対象書類名】実用新案登録請求の範囲
【補正対象項目名】全文
【補正方法】変更
【補正の内容】
【実用新案登録請求の範囲】
【請求項１】
金具１を取り付けた円形形状記憶合金板２を襟芯とした着用雨具。
【請求項２】
請求項１の着用防寒具。
【請求項３】
請求項１の衣類。
【請求項４】
金具１をプラスチック製成型具とし、取り付けた円形形状記憶合金板２を襟芯とした着用雨具。
【請求項５】
請求項４の着用防寒具。
【請求項６】
請求項４の衣類。
【請求項７】
金具１をビニール製成型具とし、取り付けた円形形状記憶合金板２を襟芯とした着用雨具。
【請求項８】
請求項７の着用防寒具。
【請求項９】
請求項７の衣類。
【請求項１０】
金具１をゴム製成型具とし、取り付けた円形形状記憶合金板２を襟芯とした着用雨具。
【請求項１１】
請求項１０の防寒具。
【請求項１２】
請求項１０の衣類。
【手続補正書】
【提出日】平成19年1月30日(2007.1.30)
【手続補正１】
【補正対象書類名】実用新案登録請求の範囲
【補正対象項目名】全文
【補正方法】変更
【補正の内容】
【実用新案登録請求の範囲】
【請求項１】
金具１を取り付けた円形形状記憶合金板２を襟芯とした着用雨具。
【請求項２】
金具１を取り付けた円形形状記憶合金板２を襟芯とした着用防寒具。
【請求項３】
金具１を取り付けた円形形状記憶合金板２を襟芯とした衣類。
【請求項４】
金具１をプラスチック製成型具とし、取り付けた円形形状記憶合金板２を襟芯とした着用雨具。
【請求項５】
金具１をプラスチック製成型具とし、取り付けた円形形状記憶合金板２を襟芯とした着用防寒具。
【請求項６】
金具１をプラスチック製成型具とし、取り付けた円形形状記憶合金板２を襟芯とした衣類。
【請求項７】
金具１をビニール製成型具とし、取り付けた円形形状記憶合金板２を襟芯とした着用雨具。
【請求項８】
金具１をビニール製成型具とし、取り付けた円形形状記憶合金板２を襟芯とした着用防寒具。
【請求項９】
金具１をビニール製成型具とし、取り付けた円形形状記憶合金板２を襟芯とした衣類。
【請求項１０】
金具１をゴム製成型具とし、取り付けた円形形状記憶合金板２を襟芯とした着用雨具。
【請求項１１】
金具１をゴム製成型具とし、取り付けた円形形状記憶合金板２を襟芯とした防寒具。
【請求項１２】
金具１をゴム製成型具とし、取り付けた円形形状記憶合金板２を襟芯とした衣類。